(57)【要約】【課題】板材の表面に、従前凹凸加工と相違する形態で凹凸面を施して意匠性を高めた新規な建築用板材を提供する。【解決手段】所望の大きさに形成した基材１の表面に、木目を横切る方向で、所定間隔及び幅で平行に多数設けた浅いＵ状長溝２と、各Ｕ状長溝の間の陵面３上に、不規則な長さ及び方向で、非連続の多数設けた前後端部が紡錘形状の浅いＵ状短溝４とを形成し、統一感を損なわない程度の共通性と、全くの同一性を備えない部分の組み合わせによって独自の意匠性を発揮させた。【選択図】図３
0003119337.tif 000002
【実用新案登録請求の範囲】
【請求項１】
所望の大きさに形成した基材の表面に、木目を横切る方向で、所定間隔及び幅で平行に多数設けた浅いＵ状長溝と、各Ｕ状長溝の間の陵面上に、不規則な長さ及び方向で、非連続に多数設けた前後端部が紡錘形状の浅いＵ状短溝とを形成してなることを特徴とする建築用板材。
【請求項２】
複数の木板を、木目方向を揃えて木目方向に連続して接着形成した基材の表面に、Ｕ状長溝及びＵ状短溝を設けてなる請求項１記載の建築用板材。
【請求項３】
複数の木板を、木目方向を揃えて木目方向と交わる方向に連続して接着形成した基材の表面にＵ状長溝及びＵ状短溝を設けてなる請求項１記載の建築用板材。
【請求項４】
Ｕ状長溝を、幅２０〜２５ｍｍ、深さ０．３〜０．７ｍｍで、且つ陵面の幅を８〜１２ｍｍに形成し、Ｕ状短溝を、幅が陵面幅の９０〜７０％とし、深さ０．３〜０．７ｍｍに形成してなる請求項１乃至３記載の何れかの建築用板材。
【請求項５】
Ｕ状長溝を、機械加工で規則的に形成し、Ｕ状短溝を、回転切削円盤の外周端面で切削を行う手持ち切削機によって、ランダムに形成してなる請求項１乃至４記載の何れかの建築用板材。
【考案の詳細な説明】
【技術分野】
【０００１】
本考案は、床材、壁板材、建具材、家具材として使用される建築用板材に関するものである。
【背景技術】
【０００２】
床材、壁板材、ドア等に使用する建具材、テーブル天板などに使用する家具材において、木材の木目の美しさを利用する手段は従前より広く知られている。例えば柾目のような模様としての木目の美しさを備えた木材や、交送木理や波状木理のような細胞の並び方が模様となる木材を用いている。
【０００３】
これらの木目や木理は、木材の伐り方によって定まり、木材の種類によっても限定される。そこで木材（突き板）の表面加工によって意匠的特徴が発現される加工手段が提案されている。
【０００４】
例えば特公平１−３４１２１号公報（特許文献１）には、先細りの切り刃を有する回転切削刃を使用し、木材の表面に対して上下離反運動と横移動を連続的に繰り返して、深さ及び幅が連続的に変化する加工手段が開示されている。
【０００５】
また特開平１１−２６８００４号公報（特許文献２）には、波型の刃面を備えた刃型を備えた単板切削機を使用して、木材フリッチを切削面が柾目となるように（所謂、柾目木取り）所望の厚さに切削加工し、次いで、得られた単板を平滑なものに加工することにより、柾目木取りの単板の表面に、チヂミ杢目と呼称される交走木理（波状木理または交錯木理）が人工的に現われている単板を製造することを提案している。
【０００６】
【特許文献１】特公平１−３４１２１号公報。
【特許文献２】特開平１１−２６８００４号公報。
【考案の開示】
【考案が解決しようとする課題】
【０００７】
前記のように単板（突き板）の表面加工によって表面に木目を生かした意匠的特徴を備えた建築用板材は提案されているが、特許文献１記載のものは表面を艶出しすることで、その凹凸模様による光の反射が、観る者に対してアピールすることができるが、同一模様形状の連続であり、パターン化しているので飽きやすいし、全体を不規則にした場合には、逆に統一感がなくなってしまい使い難い建築材となってしまう。また表面の全てが凹凸面で最上面部分は峰状態の連続であり、床材に使用した場合には、足の裏の触感が好ましいものとはいえないし、テーブル天板等の家具材としても使い難い。
【０００８】
また特許文献２記載の板材は、自然の木理の良さを人工的に製出しようとするものであり、それ自体の形状による意匠的効果（光の反射による美観）は期待できないし、自然の交走木理に当然に劣るものである。
【０００９】
そこで本考案は、統一感を損なわない程度の共通性と、全くの同一性を備えない新規な表面形状に加工した建築用板材を提案したものである。
【課題を解決するための手段】
【００１０】
本考案に係る建築用板材は、所望の大きさに形成した基材の表面に、木目を横切る方向で、所定間隔及び幅で平行に多数設けた浅いＵ状長溝と、各Ｕ状長溝の間の陵面上に、不規則な長さ及び方向で、非連続に多数設けた前後端部が紡錘形状の浅いＵ状短溝とを形成してなることを特徴とするものである。
【００１１】
而して使用目的に応じた大きさに形成した基材の表面に所定の加工を施すことによって、木目方向に交差するＵ状長溝による統一感と、Ｕ状短溝の不規則性が相まって独自の風合いを備えることになると共に、艶出しによる表面反射光も特異性を備えることになる。
【００１２】
また本考案は、特に前記建築用板材において、Ｕ状長溝を、幅２０〜２５ｍｍ、深さ０．３〜０．７ｍｍで、且つ陵面の幅を８〜１２ｍｍに形成し、Ｕ状短溝を、幅が陵面幅の９０〜７０％とし、深さ０．３〜０．７ｍｍに形成するもので、床材として使用した場合には、凹凸が浅く足の裏の感触が良好であり、またテーブルの天板などに使用しても不都合がない。
【考案の効果】
【００１３】
本考案の構成は上記の通りであり、表面の独特の凹凸形状によって、統一感と不規則性が相まった特異な意匠性を備え、床板、壁板などの建物の構成材としたり、ドア板や棚板などの建具材としたり、テーブル天板や物入れの外装板等の家具材などして使用することで、独特な雰囲気を備えた室内を構築したり家具を提供できたものである。
【考案を実施するための最良の形態】
【００１４】
次に本考案の実施の形態について説明する。本考案の建築用板材の製造手順は、基材１にＵ状長溝２を形成し、次にＵ状長溝２の間の陵面３に、Ｕ状短溝４を形成するものである。
【００１５】
基材１，１ａは、使用目的の大きさに対応して複数の木板１１、１２・・・を、木目方向を揃えて木目方向に連続して接着して形成したり（基材１ａ）、又は木目方向を揃えて木目方向と交わる方向に連続して接着形成したり（基材１）、或いは双方の方向に連続して形成する（図１）。
【００１６】
勿論基材１にＵ状長溝２及びＵ状短溝４の加工を施してから使用目的に応じた切断加工を施しても良いし、基材１の厚さも使用目的に応じて決定されるものである。
【００１７】
前記基材１に、Ｕ状長溝２を形成するものであるが、図６に示すように回転切削円盤５の外周端面で切削を行う切削機械を使用し、連続的且つ正確に形成するものである。またその溝寸法は、幅２０〜２５ｍｍ、深さ０．３〜０．７ｍｍで、且つ陵面３の幅を８〜１２ｍｍに形成する（図２）。
【００１８】
Ｕ状短溝４は、前記の切削機械を手持ちタイプとして、陵面３上に、回転切削円盤５の外周端面を適宜当接離脱させると（図７）、前後端部が紡錘形状の浅い溝が形成され、その溝の長さや溝方向は、回転切削円盤５の当接距離や当接方向に対応するので、任意に変化させることができる。また溝幅は、使用する回転切削円盤５の幅で決定するが、概ね陵面３の幅の９０〜７０％幅とし、深さ０．３〜０．７ｍｍに形成してなるものである（図３）。
【００１９】
前記のＵ状長溝２及びＵ状短溝４の各寸法は、特に床板や家具の棚板、テーブル天板などある程度の平滑面が用供される箇所に使用する場合の例であり、壁板、ドア板、家具外装板等の凹凸の程度が深くとも問題が生じない箇所に使用する場合には、特に限定されるものではなく、使用対象物に必要とする強度や、意匠的美感によって決定されるものである。
【００２０】
而して前記の建築用部材は、例えば正方形のブロック板や、図４に例示するような長尺板に形成し、フローリング材として使用する。特にフローリング材と使用した場合には、従前の平滑なフローリング材と異なり、表面の凹凸面が足裏への心地良い刺激を与えると共に、艶出し処理を施すことによって、反射光の一部統一性と乱反射が混合して独特な室内雰囲気をかもし出すものである。
【００２１】
また本考案の建築用板材は前記のフローリング材として採用される他、その反射光の一部統一性と乱反射が混合して独特な室内雰囲気を生じさせるもので、壁板（特に腰板）に使用したり、ドアなどの建具材として使用したり、各種家具の外装材として使用することができ、各使用目的に応じて基材１の大きさ厚さ、並びにＵ状長溝２、Ｕ状短溝４の幅などが決定されるものである。
【図面の簡単な説明】
【００２２】
【図１】本考案の実施形態の加工前の基材の説明図。
【図２】同Ｕ状長溝を形成した基材の説明図。
【図３】同Ｕ状短溝を形成した基材（建築用板材）の説明図。
【図４】同建築用板材の断面図。
【図５】同別の基材を使用した建築用板材の説明図。
【図６】同Ｕ状長溝の形成手段の説明図。
【図７】同Ｕ状短溝の形成手段の説明図。
【符号の説明】
【００２３】
１，１ａ    基材
２          Ｕ状長溝
３          陵面
４          Ｕ状短溝
５          回転切削円盤
【図１】
0003119337.tif 000003
【図２】
0003119337.tif 000004
【図３】
0003119337.tif 000005
【図４】
0003119337.tif 000006
【図５】
0003119337.tif 000007
【図６】
0003119337.tif 000008
【図７】
0003119337.tif 000009